(57)【要約】【課題】  コンテンツに放送ＩＤ等の透かし情報を重畳する透かし重畳装置の事故が起きた場合でも、欠損なくローコストにメディアの視聴データを調査・収集する。【解決手段】  計算施設３では、モニター施設２から送られた品位データと特徴量と放送ＩＤ等を含むモニターデータを受信し、記憶する。調査協力世帯装置１から送られた品位データと圧縮された音声等を含む調査データを受信し、記憶する。計算施設３は、モニター施設２から送られてきた品位データを参照しながら、調査データに基づき視聴データを生成及び記憶する。必要に応じて、計算施設３は、調査データから特徴量を抽出し、モニターデータに含まれる特徴量と比較する。【選択図】図１
2010233164.tif 000002
【特許請求の範囲】
【請求項１】
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号を圧縮して圧縮音声データに変換するための据え置き型調査端末を有し、ヘッダー情報と圧縮音声データを含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムであって、
前記調査協力世帯装置は、前記計算施設から音声送信要求が有りと設定されている場合、所定周期で、放送ＩＤを含むヘッダー情報と圧縮音声データの組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し圧縮音声データに上書き又は圧縮音声データを削除して、放送ＩＤを含む連続する複数のヘッダー情報とひとつの圧縮音声データを含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と圧縮音声データを含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、圧縮音声データから音声の特徴量を算出し、調査データの計測時刻又は埋め込み時刻若しくは放送時刻に対応するモニターデータの特徴量を特徴量蓄積部から読み出し、読み出した特徴量と算出した特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査システム。
【請求項２】
前記計算施設は、モニターデータを特徴量蓄積部から読み出し、ヘッダー情報を参照して品位データが、透かし情報の検出状態が良好状態を示すか否かを判断し、
前記計算施設は、品位データが良好状態でない場合、音声送信要求信号を前記調査協力世帯装置に送信し、
前記計算施設は、次のモニターデータを特徴量蓄積部から読み出し、品位データが良好状態に戻ると、音声送信解除信号を前記調査協力世帯装置に送信する
ことを特徴とする請求項１に記載の調査システム。
【請求項３】
前記計算施設は、調査データ蓄積部から調査データを読み出し、圧縮音声データが２ブロック以上あるか否かを判断し、
前記計算施設は、圧縮音声データがひとつの場合、調査データのヘッダー情報に含まれる放送ＩＤを用い、計測時刻、透かし情報の埋め込み時刻又は放送時刻、放送ＩＤ、端末ＩＤを含む視聴データを作成し、視聴データ記憶部に記憶し、
一方、前記計算施設は、圧縮音声データが２ブロック以上ある場合、圧縮音声データから音声の特徴量を算出し、調査データの計測時刻又は埋め込み時刻若しくは放送時刻に対応するモニターデータの特徴量を特徴量蓄積部から読み出し、読み出した特徴量と算出した特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
ことを特徴とする請求項１又は２に記載の調査システム。
【請求項４】
前記計算施設は、調査データが前記第１の記録内容である場合、モニターデータの特徴量と算出した特徴量とを比較して放送ＩＤが求められないとき、特徴量蓄積部から読み出す時刻を予め定められた時刻の範囲内で戻してモニターデータの特徴量を読み出し、算出した特徴量と比較して透かし情報の埋め込み時刻若しくは放送時刻、及び放送ＩＤを求めることを特徴とする請求項１乃至３のいずれかに記載の調査システム。
【請求項５】
前記計算施設は、視聴データ記憶部に記憶された視聴データを読み出し、放送ＩＤごとに集計して、各放送施設の放送ＩＤに対応して、時刻ごとの視聴率又は聴取率又は接触率データをもとめ、視聴率記憶部に記憶することを特徴とする請求項１乃至４のいずれかに記載の調査システム。
【請求項６】
前記モニター施設は、検出された透かし情報の放送ＩＤと、コンテンツの受信機に予め設定された放送施設を識別する放送ＩＤとの比較結果により、また、透かしデコーダが出力する透かし情報の検出状態に従い、品位データを良好状態又は故障状態と設定し、
前記モニター施設は、品位データが良好状態の場合、モニターデータメモリーの、前回書き込んだエリアと同じエリアに、放送ＩＤを含むヘッダー情報と特徴量とを含むモニターデータデータを上書きし、
一方、前記モニター施設は、品位データが良好状態でない場合、モニターデータメモリーの、前回書き込んだエリアの後のエリアに、放送ＩＤを含むヘッダー情報と特徴量とを含むモニターデータデータを記録し、
前記モニター施設は、モニターメモリーに記憶されたヘッダー情報と特徴量データを含むモニターデータを前記計算施設へ送信する
ことを特徴とする請求項１乃至５のいずれかに記載の調査システム。
【請求項７】
前記モニター施設は、
検出された透かし情報の放送ＩＤが、コンテンツの受信機に設定された放送施設の放送ＩＤと同じ場合、透かしデコーダにより出力された透かし情報を検出する際の誤り訂正のレベルに従い、良好状態であるレベル０、誤り訂正を実行した場合の誤り訂正の程度によるレベル１又は２を品位データに設定し、
検出された透かし情報の放送ＩＤが、コンテンツの受信機に設定された放送施設の放送ＩＤと異なる場合、品位データに透かし情報重畳装置の故障または設定ミスを示すレベル６を設定し、
所定時間以上透かし情報が検出されない場合、電界強度及び平均音量に応じて、故障を表すレベル３〜５を品位データに設定する
ことを特徴とする請求項１乃至６のいずれかに記載の調査システム。
【請求項８】
前記調査協力世帯装置は、計算施設から音声送信要求信号を受信すると、音声送信要求を有りに設定し、音声送信解除信号を受信すると音声送信要求を無しに設定することを特徴とする請求項１乃至７のいずれかに記載の調査システム。
【請求項９】
前記調査協力世帯装置は、コンテンツを視聴又は聴取又は接触している個人を識別するための個人表示器をさらに備え、
前記調査データのヘッダー情報及び前記視聴データに、前記個人表示器により識別された個人ＩＤをさらに含めることを特徴とする請求項１乃至８のいずれかに記載の調査システム。
【請求項１０】
コンテンツの音声データを圧縮して圧縮音声データに変換し、据え置き型調査端末に接続されて、ヘッダー情報と圧縮音声データを含む調査データを据え置き型調査端末へ転送する携帯型調査端末をさらに備えた請求項１乃至９のいずれかに記載の調査システム。
【請求項１１】
前記携帯型調査端末は、ヘッダー情報に、コンテンツを視聴又は聴取又は接触した計測時刻及び端末ＩＤを設定し、埋め込み時刻と放送ＩＤを設定し、前記据え置き型調査端末による調査データのヘッダー情報と同一フォーマットとして、ヘッダー情報と圧縮音声データを含む調査データを、携帯端末メモリーへ記録し、
前記携帯型調査端末は、前記据え置き型調査端末と接続された場合、前記携帯端末メモリーに蓄積されたデータを、前記据え置き型調査端末に転送する
ことを特徴とする請求項１０に記載の調査システム。
【請求項１２】
前記携帯型調査端末は、コンテンツを視聴又は聴取又は接触している場所を示す受信地データを検出する検出器をさらに備え、
前記調査データのヘッダー情報及び前記視聴データに、前記検出器により検出された受信地データをさらに含める
ことを特徴とする請求項１０又は１１に記載の調査システム。
【請求項１３】
前記携帯型調査端末は、調査データを前記据え置き型調査端末に転送し、前記据え置き型調査端末に備えられた透かしデコーダにより、転送された調査データの圧縮音声データに基づき埋め込み時刻若しくは放送時刻及び放送ＩＤを含む透かし情報を求め、透かし情報をヘッダ情報に含めた調査データを前記据え置き型調査端末の調査データメモリに記憶することを特徴とする請求項１０乃至１２のいずれかに記載の調査システム。
【請求項１４】
前記携帯型調査端末は、透かし情報を求めることができなかった場合、調査データを前記据え置き型調査端末の調査データメモリに記憶することを特徴とする請求項１３に記載の調査システム。
【請求項１５】
前記携帯型調査端末は、個人ＩＤを保持する個人ＩＤメモリをさらに備え、調査データに個人ＩＤメモリにより保持された個人ＩＤを含めることを特徴とする請求項１０乃至１４のいずれかに記載の調査システム。
【請求項１６】
前記調査データは、調査データのヘッダー情報と圧縮音声データを含み、さらに、調査データのヘッダー情報は、計測時刻、透かし情報の埋め込み時刻又は放送時刻、放送ＩＤ、端末ＩＤを含むことを特徴とする請求項１乃至１５のいずれかに記載の調査システム。
【請求項１７】
前記調査データのヘッダー情報は、さらに個人ＩＤ、及び／又は、受信地をさらに含むことを特徴とする請求項１６に記載の調査システム。
【請求項１８】
前記モニターデータは、モニターデータのヘッダー情報と特徴量を含み、さらに、モニターデータのヘッダー情報は、計測時刻、透かし情報の埋め込み時刻又は放送時刻、放送ＩＤ、品位データを含むことを特徴とする請求項１乃至１７のいずれかに記載の調査システム。
【請求項１９】
前記透かし情報は、放送時刻又は埋め込み時刻を含み、
調査データのヘッダー情報、モニターデータのヘッダー情報、及び、視聴データに放送時刻又は埋め込み時刻を含めることを特徴とする請求項１乃至１８のいずれかに記載の調査システム。
【請求項２０】
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号を圧縮して圧縮音声データに変換するための据え置き型調査端末を有し、ヘッダー情報と圧縮音声データを含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムを用いた、コンテンツの視聴又は聴取又は接触に関する視聴データ調査方法であって、
前記調査協力世帯装置は、前記計算施設から音声送信要求が有りと設定されている場合、所定周期で、放送ＩＤを含むヘッダー情報と圧縮音声データの組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し圧縮音声データに上書き又は圧縮音声データを削除して、放送ＩＤを含む連続する複数のヘッダー情報とひとつの圧縮音声データを含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と圧縮音声データを含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、圧縮音声データから音声の特徴量を算出し、調査データの計測時刻又は埋め込み時刻若しくは放送時刻に対応するモニターデータの特徴量を特徴量蓄積部から読み出し、読み出した特徴量と算出した特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査方法。
【請求項２１】
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号の特徴量を算出するための据え置き型調査端末を有し、ヘッダー情報と特徴量を含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムであって、
前記調査協力世帯装置は、前記計算施設から音声送信要求が有りと設定されている場合、所定周期で、放送ＩＤを含むヘッダー情報と特徴量の組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し特徴量に上書き又は特徴量を削除して、放送ＩＤを含む連続する複数のヘッダー情報とひとつの特徴量を含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と特徴量を含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、調査データの計測時刻又は埋め込み時刻若しくは放送時刻に対応するモニターデータの特徴量を特徴量蓄積部から読み出し、読み出した特徴量とモニターデータに含まれる特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査システム。
【請求項２２】
前記計算施設は、モニターデータを特徴量蓄積部から読み出し、ヘッダー情報を参照して品位データが、透かし情報の検出状態が良好状態を示すか否かを判断し、
前記計算施設は、品位データが良好状態でない場合、音声送信要求信号を前記調査協力世帯装置に送信し、
前記計算施設は、次のモニターデータを特徴量蓄積部から読み出し、品位データが良好状態に戻ると、音声送信解除信号を前記調査協力世帯装置に送信する
ことを特徴とする請求項２１に記載の調査システム。
【請求項２３】
前記計算施設は、調査データ蓄積部から調査データを読み出し、特徴量が２ブロック以上あるか否かを判断し、
前記計算施設は、特徴量がひとつの場合、調査データのヘッダー情報に含まれる放送ＩＤを用い、計測時刻、透かし情報の埋め込み時刻又は放送時刻、放送ＩＤ、端末ＩＤを含む視聴データを作成し、視聴データ記憶部に記憶し、
一方、前記計算施設は、特徴量が２ブロック以上ある場合、調査データの計測時刻又は埋め込み時刻若しくは放送時刻に対応するモニターデータの特徴量を特徴量蓄積部から読み出し、特徴量蓄積部から読み出した特徴量と調査データの特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
ことを特徴とする請求項２１又は２２に記載の調査システム。
【請求項２４】
前記計算施設は、調査データが前記第１の記録内容である場合、モニターデータの特徴量と調査データの特徴量とを比較して放送ＩＤが求められないとき、特徴量蓄積部から読み出す時刻を予め定められた時刻の範囲内で戻してモニターデータの特徴量を読み出し、算出した特徴量と比較して透かし情報の埋め込み時刻若しくは放送時刻、及び放送ＩＤを求めることを特徴とする請求項２１乃至２３のいずれかに記載の調査システム。
【請求項２５】
前記モニター施設は、検出された透かし情報の放送ＩＤと、コンテンツの受信機に予め設定された放送施設を識別する放送ＩＤとの比較結果により、また、透かしデコーダが出力する透かし情報の検出状態に従い、品位データを良好状態又は故障状態と設定し、
前記モニター施設は、品位データが良好状態の場合、モニターデータメモリーの、前回書き込んだエリアと同じエリアに、放送ＩＤを含むヘッダー情報と特徴量とを含むモニターデータデータを上書きし、
一方、前記モニター施設は、品位データが良好状態でない場合、モニターデータメモリーの、前回書き込んだエリアの後のエリアに、放送ＩＤを含むヘッダー情報と特徴量とを含むモニターデータデータを記録し、
前記モニター施設は、モニターメモリーに記憶されたヘッダー情報と特徴量データを含むモニターデータを前記計算施設へ送信する
ことを特徴とする請求項２１乃至２４のいずれかに記載の調査システム。
【請求項２６】
前記調査協力世帯装置は、コンテンツを視聴又は聴取又は接触している個人を識別するための個人表示器をさらに備え、
前記調査データのヘッダー情報及び前記視聴データに、前記個人表示器により識別された個人ＩＤをさらに含めることを特徴とする請求項２１乃至２５のいずれかに記載の調査システム。
【請求項２７】
コンテンツの音声データを圧縮して圧縮音声データに変換し、据え置き型調査端末に接続されて、ヘッダー情報と圧縮音声データを含む調査データを据え置き型調査端末へ転送する携帯型調査端末をさらに備えた請求項２１乃２６のいずれかに記載の調査システム。
【請求項２８】
前記携帯型調査端末は、ヘッダー情報に、コンテンツを視聴又は聴取又は接触した計測時刻及び端末ＩＤを設定し、埋め込み時刻と放送ＩＤを設定し、前記据え置き型調査端末による調査データのヘッダー情報と同一フォーマットとして、ヘッダー情報と圧縮音声データを含む調査データを、携帯端末メモリーへ記録し、
前記携帯型調査端末は、前記据え置き型調査端末と接続された場合、前記携帯端末メモリーに蓄積されたデータを、前記据え置き型調査端末に転送する
ことを特徴とする請求項２７に記載の調査システム。
【請求項２９】
前記携帯型調査端末は、コンテンツを視聴又は聴取又は接触している場所を示す受信地データを検出する検出器をさらに備え、
前記調査データのヘッダー情報及び前記視聴データに、前記検出器により検出された受信地データをさらに含める
ことを特徴とする請求項２７又は２８に記載の調査システム。
【請求項３０】
前記携帯型調査端末は、調査データを前記据え置き型調査端末に転送し、前記据え置き型調査端末に備えられた透かしデコーダにより、転送された調査データの圧縮音声データに基づき埋め込み時刻若しくは放送時刻及び放送ＩＤを含む透かし情報を求め、透かし情報をヘッダ情報に含めた調査データを前記据え置き型調査端末の調査データメモリに記憶することを特徴とする請求項２７乃至２９のいずれかに記載の調査システム。
【請求項３１】
前記携帯型調査端末は、さらに、前記据え置き型調査端末に備えられた特徴量抽出部により特徴量を求め、透かし情報を含むヘッダ情報と特徴量とを含む調査データを前記据え置き型調査端末の調査データメモリに記憶することを特徴とする請求項３０に記載の調査システム。
【請求項３２】
前記携帯型調査端末は、個人ＩＤを保持する個人ＩＤメモリをさらに備え、調査データに個人ＩＤメモリにより保持された個人ＩＤを含めることを特徴とする請求項２７乃至３１のいずれかに記載の調査システム。
【請求項３３】
前記調査データは、調査データのヘッダー情報と特徴量を含み、さらに、調査データのヘッダー情報は、計測時刻、透かし情報の埋め込み時刻又は放送時刻、放送ＩＤ、端末ＩＤを含むことを特徴とする請求項２１乃至３２のいずれかに記載の調査システム。
【請求項３４】
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号の特徴量を算出するための据え置き型調査端末を有し、ヘッダー情報と特徴量を含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムを用いた、コンテンツの視聴又は聴取又は接触に関する視聴データ調査方法であって、
前記調査協力世帯装置は、前記計算施設から音声送信要求が有りと設定されている場合、所定周期で、放送ＩＤを含むヘッダー情報と特徴量の組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し特徴量に上書き又は特徴量を削除して、放送ＩＤを含む連続する複数のヘッダー情報とひとつの特徴量を含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と特徴量を含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、調査データの計測時刻又は埋め込み時刻若しくは放送時刻に対応するモニターデータの特徴量を特徴量蓄積部から読み出し、読み出した特徴量とモニターデータに含まれる特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査方法。
【発明の詳細な説明】
【技術分野】
【０００１】
本発明は、調査システム及び調査方法に係り、各種メディアによりテレビ、ラジオ、ＰＣ等のコンテンツを視聴・聴取・接触したときの視聴データ（聴取データ、接触データ等も含む。）を調査・収集するための調査システム及び調査方法に関する。
【背景技術】
【０００２】
従来技術によるテレビ視聴率の測定は調査協力世帯内の受信機に測定機を取り付け、一日分のテレビの稼動ログと視聴者を測定記録し、それをセンターへ送出し集計している。ごくまれに視聴率測定機が故障した場合、視聴率が実態よりも低く計算される場合があるため、故障世帯を算出母数から排除したうえで視聴率を計算している。
また放送識別（ＩＤ）信号を利用しテレビ視聴率やラジオ聴取率を測定するシステムが提案されている（例えば特表平１０−５００２６３号）が、このシステムで放送ＩＤ信号重畳装置が故障すると視聴率全体に誤りを含めてしまう場合がある。
放送ＩＤ信号とは、放送局を識別するための信号であり、放送された時刻又は情報を埋め込まれた時刻等の時刻データなども含んでもよい。このシステムでは放送局側に放送ＩＤ信号重畳装置を設け、放送番組のオーディオ信号に重畳する。
受信側では、調査対象者にマイクロフォンを有する放送ＩＤ解読器を常時携行させ、もし放送ＩＤ番号が解読されるとそれを記録する。放送ＩＤ解読器は、専用の回収装置でその記録を調査会社が収集し、テレビ視聴率やラジオ聴取率が算出される。
もし放送局Ａの放送ＩＤ信号重畳装置が故障し、重畳されないまま放送されると、その放送局Ａの視聴率や聴取率はゼロパーセントになる場合がある。また放送ＩＤ信号重畳装置の故障や操作ミスで他局Ｂの放送ＩＤ信号が重畳されると、放送局Ａの視聴率や聴取率は放送局Ｂに加算されて、放送局Ａはゼロパーセントになる場合がある。
特開２００２−１８５４１６号では調査対象となる放送を常時受信する受信施設を設け、放送ＩＤ信号の品位を判定し、視聴率や聴取率の計算方法を変更する方法が提案されている。この方法によると放送局Ａの放送ＩＤ信号が重畳されないまま放送されると、その時間帯の放送局Ａの視聴率や聴取率をゼロパーセントにするのではなくｕｎｋｎｏｗｎに、また放送局Ａから放送局Ｂの放送ＩＤ信号が誤って重畳されたならば、その時間帯を、放送局Ａと放送局Ｂをｕｎｋｎｏｗｎに置き換えることにより、不確かな調査結果を排除しようとするものである。
【先行技術文献】
【特許文献】
【０００３】
【特許文献１】特表平１０−５００２６３号公報
【特許文献２】特開２００２−１８５４１６号公報
【特許文献３】特開平１１−２７５０３２号公報
【特許文献４】特開平０８−０４６５８８号公報
【発明の概要】
【発明が解決しようとする課題】
【０００４】
しかし視聴率や聴取率データのユーザである放送局や広告代理店では、これらを長期間の時系列で分析し利用しているため、たとえｕｎｋｎｏｗｎに置き換えることで不確かな調査結果を排除しても、継続的な視聴率や聴取率の増減に関する時系列分析に役立たないという課題があった。
これに対応するために放送ＩＤ信号重畳装置の二重化や、あるいは別の手段によるサブ測定システムを平行して運用する方法もあるが、調査測定機の製造コストや運用コスト増につながり、視聴率測定の高コスト化を招くため現実性がなかった。
本発明は、以上の点に鑑み、コンテンツに放送ＩＤ等の透かし情報を重畳する透かし重畳装置の事故が起きた場合でも、欠損なくローコストにメディアの視聴データ（接触データ、聴取データ等を含む。）を調査・収集し、視聴率データ（接触率データ、聴取率データ等を含む。）を集計するための調査システム及び調査方法を提供することを目的とする。
【課題を解決するための手段】
【０００５】
本発明の第１の解決手段によると、
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号を圧縮して圧縮音声データに変換するための据え置き型調査端末を有し、ヘッダー情報と圧縮音声データを含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムであって、
前記調査協力世帯装置は、前記計算施設から音声送信要求が有りと設定されている場合、所定周期で、放送ＩＤを含むヘッダー情報と圧縮音声データの組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し圧縮音声データに上書き又は圧縮音声データを削除して、放送ＩＤを含む連続する複数のヘッダー情報とひとつの圧縮音声データを含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と圧縮音声データを含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、圧縮音声データから音声の特徴量を算出し、調査データの計測時刻又は埋め込み時刻若しくは放送時刻に対応するモニターデータの特徴量を特徴量蓄積部から読み出し、読み出した特徴量と算出した特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査システム
が提供される。
【０００６】
本発明の第２の解決手段によると、
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号を圧縮して圧縮音声データに変換するための据え置き型調査端末を有し、ヘッダー情報と圧縮音声データを含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムを用いた、コンテンツの視聴又は聴取又は接触に関する視聴データ調査方法であって、
前記調査協力世帯装置は、前記計算施設から音声送信要求が有りと設定されている場合、所定周期で、放送ＩＤを含むヘッダー情報と圧縮音声データの組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し圧縮音声データに上書き又は圧縮音声データを削除して、放送ＩＤを含む連続する複数のヘッダー情報とひとつの圧縮音声データを含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と圧縮音声データを含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、圧縮音声データから音声の特徴量を算出し、調査データの計測時刻又は埋め込み時刻若しくは放送時刻に対応するモニターデータの特徴量を特徴量蓄積部から読み出し、読み出した特徴量と算出した特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査方法
が提供される。
【０００７】
本発明の第３の解決手段によると、
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号の特徴量を算出するための据え置き型調査端末を有し、ヘッダー情報と特徴量を含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムであって、
前記調査協力世帯装置は、前記計算施設から音声送信要求が有りと設定されている場合、所定周期で、放送ＩＤを含むヘッダー情報と特徴量の組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し特徴量に上書き又は特徴量を削除して、放送ＩＤを含む連続する複数のヘッダー情報とひとつの特徴量を含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と特徴量を含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、調査データの計測時刻又は埋め込み時刻若しくは放送時刻に対応するモニターデータの特徴量を特徴量蓄積部から読み出し、読み出した特徴量とモニターデータに含まれる特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査システム
が提供される。
【０００８】
本発明の第４の解決手段によると、
コンテンツに対して、重畳装置により放送ＩＤを含む透かし情報を埋め込み、コンテンツを放送する放送施設と、
コンテンツの受信機に取り付けられ、放送ＩＤ信号を含む透かし情報を検出し、コンテンツのオーディオ信号の特徴量を算出するための据え置き型調査端末を有し、ヘッダー情報と特徴量を含む調査データを出力する調査協力世帯装置と、
予め定められた放送施設が放送するコンテンツを受信し、コンテンツに埋め込まれた放送ＩＤ信号を含む透かし情報を検出し、コンテンツの放送又は受信についての品位データを作成し、コンテンツのオーディオ信号の特徴量を算出し、ヘッダー情報と特徴量とを含むモニターデータを出力するモニター施設と、
前記モニター施設からのモニターデータと、前記調査協力世帯装置からの調査データを受信し、コンテンツの視聴又は聴取又は接触に関する視聴データを求める計算施設と、
を備えた調査システムを用いた、コンテンツの視聴又は聴取又は接触に関する視聴データ調査方法であって、
前記調査協力世帯装置は、前記計算施設から音声送信要求が有りと設定されている場合、所定周期で、放送ＩＤを含むヘッダー情報と特徴量の組を複数含む第１の記録内容で調査データを調査データメモリーへ記録し、
前記調査協力世帯装置は、音声送信要求が無しと設定されている場合、透かしデコーダから出力された透かし情報を検出する際の誤り訂正レベルが良好状態でなければ、所定周期で、前記第１の記録内容で調査データを調査データメモリーへ記録し、一方、誤り訂正レベルが良好状態なら、前回記録した調査データのヘッダー情報のみを残し特徴量に上書き又は特徴量を削除して、放送ＩＤを含む連続する複数のヘッダー情報とひとつの特徴量を含む第２の記録内容で調査データを記録し、
前記調査協力世帯装置は、調査データメモリーから調査データを読み出し、前記計算施設へ送信し、
前記計算施設は、前記モニター施設からヘッダー情報と特徴量を含むモニターデータを受信し、特徴量蓄積部に記憶し、
前記計算施設は、調査世帯装置からヘッダー情報と特徴量を含む調査データを受信し、調査データ蓄積部に記憶し、
前記計算施設は、調査データ蓄積部から調査データを読み出し、
前記計算施設は、調査データが前記第２の記録内容である場合、調査データのヘッダー情報に含まれる放送ＩＤを用い、調査データ又はモニターデータに従い、計測時刻、透かし情報の埋め込み時刻又は放送時刻、放送ＩＤ、端末ＩＤを含む視聴データを作成し、視聴データ記憶部に記憶し、
一方、前記計算施設は調査データが前記第１の記録内容である場合、調査データの計測時刻又は埋め込み時刻若しくは放送時刻に対応するモニターデータの特徴量を特徴量蓄積部から読み出し、読み出した特徴量とモニターデータに含まれる特徴量とを比較して放送ＩＤを求め、調査データ又はモニターデータに従い、計測時刻、透かし情報の埋め込み時刻若しくは放送時刻、放送ＩＤ、端末ＩＤを含む視聴データを作成し、視聴データ記憶部に記憶する
前記調査方法
が提供される。
【発明の効果】
【０００９】
本発明によると、コンテンツに放送ＩＤ等の透かし情報を重畳する透かし重畳装置の事故が起きた場合でも、欠損なくローコストにメディアの視聴データ（接触データ、聴取データ等を含む。）を調査・収集し、視聴率データ（接触率データ、聴取率データ等を含む。）を集計するための調査システム及び調査方法を提供することができる。
【図面の簡単な説明】
【００１０】
【図１】システム構成図。
【図２】モニター施設の構成図。
【図３】モニタリングデータプロセッサーのデータ処理例の説明図。
【図４】品位データを生成する処理のフローチャート。
【図５】品位データと検出した放送ＩＤ、音声の特徴量の関係を示す説明図。
【図６】事故判定処理のフローチャート。
【図７】モニターデータのヘッダー情報の構成例の図。
【図８】データ選別処理のフローチャート。
【図９】モニター施設のメモリー記録内容（品位データが０の場合）の説明図。
【図１０】モニター施設のメモリー記録内容（品位データが１〜５の場合）の説明図。
【図１１】据え置き型調査端末の構成図。
【図１２】据え置き型調査端末のデータ選別処理のフローチャート。
【図１３】据え置き型調査端末のメモリー記録内容（誤り訂正レベルが０の場合）の説明図。
【図１４】据え置き型調査端末のメモリー記録内容（誤り訂正レベルが０以外の場合）の説明図。
【図１５】据え置き型調査端末１５の調査データのヘッダー情報の構成例の図。
【図１６】携帯型調査端末の構成図。
【図１７】携帯型調査端末の調査データのヘッダー情報の構成例の図。
【図１８】誤り訂正レベルと放送ＩＤ、圧縮音声データの関係を示す説明図。
【図１９】計算施設の構成図。
【図２０】視聴データのフォーマットの説明図。
【図２１】音声送信要求処理のフローチャート。
【図２２】視聴データの作成・記録処理のフローチャート。
【図２３】据え置き型調査端末のデータ選別処理のフローチャート（第２の実施の形態）。
【図２４】視聴データの作成・記録処理のフローチャート（第２の実施の形態）。
【図２５】モニタリングデータプロセッサー１８０４の書き換え転送処理のフローチャート。
【図２６】第２の実施形態の据え置き型調査端末の構成図。
【図２７】第２の実施形態の書き換え転送処理のフローチャート。
【発明を実施するための形態】
【００１１】
Ａ．第１の実施の形態
１．調査システム
図１に、システム構成図を示す。
本システムは、例えば、調査協力世帯装置１と、モニター施設２と、計算施設３と、放送施設５とを備える。調査協力世帯装置１と計算施設３、モニター施設２と計算施設３は、インターネット等のネットワーク６により接続される。調査協力世帯装置１は、テレビ１１と、ラジオ１２と、ＰＣ１３と、携帯型電子機器１４と、据え置き型調査端末１５〜１７と、携帯型調査端末１８を有する。モニター施設２は、テレビ局受像機２１と、ラジオ局受信機２２と、ＰＣ２３と、メディアモニターリング装置２４を有する。放送施設５は、透かし重畳装置５２と、送信部５３と、時計装置５４を有する。
放送局またはインターネット配信事業者等による放送施設５により、各種のテレビ放送やラジオ放送またはインターネットなどを通じコンテンツの放送や配信が行われている。
放送施設５では、コンテンツ５１のオーディオ信号に対し、電子透かしや音声透かし等を用いた透かし重畳装置５２により、現在時刻と自局に割り当てられた放送ＩＤ信号、放送時刻又は埋め込み時刻等の透かし情報をコンテンツ５１に埋め込み、送信部５３で放送する。なお送信部５３とは、例えば、テレビ放送やラジオ放送では無線送信機であり、インターネットによるサービスでは送出サーバーである。
送出されたコンテンツ５１は、調査会社が選出した調査協力世帯装置１のテレビ１１、ラジオ１２、ＰＣ１３、あるいは携帯電話やゲーム機などの携帯型電子機器１４により受信される。調査会社は調査協力世帯装置１に放送ＩＤ信号を検出するための据え置き型調査端末１５〜１７を取り付ける。同じ場所に据え置いて使用されるテレビ１１、ラジオ１２やＰＣ１３には据え置き型の調査端末装置１５〜１７を、それぞれの数だけ取り付ける。また世帯内を移動しながら利用するノート型ＰＣや携帯電話などの携帯型電子機器１４には携帯型調査端末１８を組み合わせて調査世帯の家族等に携行させる。この据え置き型調査端末１５〜１７または携帯型調査端末１８は、テレビ１１、ラジオ１２、ＰＣ１３、携帯型電子機器１４などと有線あるいはマイクロフォンにより空間的に（無線で）接続されており、入力されたオーディオ信号から電子透かしや音声透かし等により埋め込まれている放送ＩＤ信号、放送時刻又は埋め込み時刻等の透かし情報を取り出し、ヘッダー情報とともに、調査協力世帯装置１のＬＡＮ（Ｌｏｃａｌ  Ａｒｅａ  Ｎｅｔｗｏｒｋ）１９からインターネット等のネットワーク６を経由して、調査会社の計算施設３へ転送する。携帯型調査端末１８は、例えば、帰宅した後や適宜のタイミング等で、いずれかの据え置き型調査端末１５〜１７と接続され、その据え置き型調査端末１５〜１７経由で蓄積した視聴・聴取情報を計算施設３へ転送する。この転送のためのネットワーク６にはインターネットの他に、モデム装置により電話回線や専用線等の有線系を利用したり、ＰＨＳ（Ｐｅｒｓｏｎａｌ  Ｈａｎｄｙ−ｐｈｏｎｅ  Ｓｙｓｔｅｍ）や携帯電話装置による無線系であってもよく、調査協力世帯装置１の状況に応じて適宜決定される。
【００１２】
一方、モニター施設２では、テレビ波、ラジオ波、インターネットなどにより配信される各種コンテンツ５１を、それぞれテレビ局受像機２１、ラジオ局受信機２２、ＰＣ２３などで常時モニタリングする。メディアモニターリング装置２４は、テレビ局受像機２１、ラジオ局受信機２２、ＰＣ２３から出力されたそれらのオーディオ信号に埋め込まれた放送ＩＤ信号や放送信号に関する品位データを作成するとともに、オーディオ信号の特徴量を算出し、ネットワーク６経由で品位データとオーディオ信号の特徴量を計算施設３へ送っている。ここで、品位データについては、例えば、特開２００２−１８５４１６号で開示されたように、正常放送、放送停止、放送識別信号の不存在、放送識別信号の誤り等のいずれかを示す（詳細は後述する。）また、特徴量とは、例えば、特開平１１−２７５０３２号で開示されたように、オーディオ信号からその特徴となる成分を抽出したもの（例えば各通過帯域別の平均振幅を対数変換したパワーのベクトル）である（詳細は後述する）。
計算施設３では、モニター施設２から送られた品位データと特徴量と放送ＩＤ等を含むモニターデータを受信し、記憶する。また、調査協力世帯装置１から送られた品位データと圧縮された音声等を含む調査データを受信し、記憶する。計算施設３は、モニター施設２から送られてきた品位データを参照しながら、調査データに基づき視聴データを生成及び記憶する。必要に応じて、計算施設３は、調査データから特徴量を抽出し、モニターデータに含まれる特徴量と比較する。さらに、計算施設３は、調査協力世帯装置１から送られてきたデータを選別し、複数の調査協力世帯装置１から集めた調査データから各メディア毎の視聴率（聴取率、接触率等を含む。）を算出、記憶する。さらに、計算施設３は、接触率データをネットワーク６を介して顧客であるレポート契約会社４へ提供する。
【００１３】
２．モニター施設
図２に、モニター施設の構成図を示す。
透かし重畳装置５２の故障等により、放送ＩＤ信号等の透かし情報が埋め込まれなかったり、あるいは他局に割り当てられている放送ＩＤ信号等の透かし情報が誤って埋め込まれた場合等について、図２のモニター施設２の詳細構成図で説明する。
モニター施設２では、テレビ局受像機２１や、ラジオ局受信機２２、インターネットコンテンツを受信するＰＣ２３によりオーディオ信号又は映像・画像信号を常時受信し、その信号をＡＤ（Ａｎａｌｏｇ／Ｄｉｇｉｔａｌ）変換機２４０１、２４０３、２４０５でデジタル化する。デジタル化されたオーディオ信号又は映像・画像信号は透かしデコーダ２４０２、２４０４、２４０６と、特徴量抽出器２４０７、２４０９、２４１１へ供給される。
なおテレビ局受像機２１、ラジオ局受信機２２、ＰＣ２３と、各々に接続されるＡＤ変換機２４０１、２４０３、２４０５や、透かしデコーダ２４０２、２４０４、２４０６、特徴量抽出器２４０７、２４０９、２４１１は各１系統だけで図示したが、実際には調査の対象となる数だけ用意されている。
各透かしデコーダ２４０２、２４０４、２４０６は、それぞれ、テレビ局受像機２１、ラジオ局受信機２２、ＰＣ２３で受信したオーディオ信号又は映像・画像信号に基づき、透かしで埋め込まれた放送ＩＤ信号、放送時刻又は埋め込み時刻等の透かし情報を抽出する。各特徴量抽出器２４０７、２４０９、２４１１は、それぞれ、テレビ局受像機２１、ラジオ局受信機２２、ＰＣ２３で受信したオーディオ信号又は映像・画像信号に基づき、特徴量を算出し、それぞれメモリー２４０８、２４１０、２４１２に記憶する。ＧＰＳ（Ｇｌｏｂａｌ  Ｐｏｓｉｔｉｏｎｉｎｇ  Ｓｙｓｔｅｍ）２５は、ＧＰＳ衛星から送られてくる極めて信頼性の高い時刻データ（原子時計精度）を常時取得している。時計部２４１３はあらかじめ定めた頻度でこのＧＰＳによる時刻でみずからを校正する。また時計部２４１３の現在時刻は、モニタリングデータプロセッサー２４１４がデータ処理を実行した計測時刻として使用される。モニタリングデータプロセッサー２４１４は、後述のように品位データを求め、ヘッダー情報、特徴量、品位データ等を含むモニターデータを生成し、通信Ｉ／Ｆ２４１５を介して、インターネット６３又は有線系通信網６１又は無線系通信網６２等のネットワーク６に出力する。
【００１４】
図３に、モニタリングデータプロセッサーのデータ処理例の説明図を示す。
この図は、放送ＩＤが１２３０のテレビ放送局である放送施設５の放送をテレビ局受像機２１により受信し、モニタリングデータプロセッサー２４１４が、透かしデコーダ２４０２から埋め込まれていた埋め込み時刻又は放送時刻と放送ＩＤ、そして誤り訂正レベルを得て、テレビ局受像機２１より電界強度を得て、さらに加工処理する例である。計測時刻とは加工処理によって品位データが生成された現在時刻で、時計部２４１３より得る。
モニタリングデータプロセッサー２４１４は処理で利用するしきい値などのパラメータを保持するメモリーと演算部と実行プログラムメモリーを備える専用プロセッサーである。
【００１５】
図４は、品位データを生成する処理のフローチャートである。
また、図５は、品位データと検出した放送ＩＤ、音声の特徴量の関係を示す説明図である。
以下、このフローチャートにより、モニタリングデータプロセッサー２４１４による品位データの生成過程を説明する。ここでは、一例として、テレビ局受像機２１にＡＤ変換機２４０１を介して接続された透かしデコーダ２４０２の処理について説明するが、ラジオ局受信機２２にＡＤ変換機２４０３を介して接続された透かしデコーダ２４０４の処理、及び、ＰＣ２３にＡＤ変換機２４０５を介して接続された透かしデコーダ２４０６の処理についても同様である。
モニタリングデータプロセッサー２４１４は、透かしデコーダ２４０２に入力されるオーディオ信号又は映像・画像信号から、例えば４０秒の周期以内に透かし情報（音声透かし情報、電子透かし情報等）が検出されるまで、ステップＳ１とステップＳ５をループしている。例えば、この４０秒という値は放送局またはインターネット配信事業者等による放送施設５の透かし重畳装置５２で透かし情報を重畳するインターバルを３０秒とした場合に、検出に要する計算時間を１０秒として最適な経験値であり、この例以外にも適宜設定することができ、モニタリングデータプロセッサー２４１４のメモリー領域にあらかじめ記録されている。
モニタリングデータプロセッサー２４１４は、透かしデコーダ２４０２で透かし情報が検出されると（Ｓ１）、ステップＳ２でテレビ局受像機２１からテレビ局受像機２１で受信中の放送施設５の放送ＩＤと異なるものが検出されるようなら、それは透かし重畳装置５２の故障または設定ミス等が考えられるため、ステップＳ８にて品位データに故障を示す値（例、６）が代入される。モニタリングデータプロセッサー２４１４は、ステップＳ２で正常な放送ＩＤならステップＳ４へ進む。
ステップＳ４で、モニタリングデータプロセッサー２４１４は、検出した放送ＩＤと、透かし情報を検出する際の誤り訂正のレベル０〜２を出力する。この例では、レベル０がもっとも検出状態が良好であり、レベル１は、誤り訂正を実行した場合、レベル２は検出に度重なる誤り訂正を実行した場合である。さらに、ステップＳ４で、モニタリングデータプロセッサー２４１４は誤り訂正レベルが０〜２を品位データに代入する。
モニタリングデータプロセッサー２４１４は、ステップＳ１で透かし情報が検出されない場合、もしステップＳ５において４０秒以上、透かし情報が検出されないなら、透かし重畳装置５２の故障なのか、たまたま音声レベルのきわめて小さいシーンであり故障ではないものか等の障害の状態を判定する事故判定処理（Ｓ６）を実行する。これは透かしによる放送ＩＤを検出できなかった場合なので、モニタリングデータプロセッサー２４１４は、ステップＳ７で放送ＩＤを所定値（例、ゼロ）に設定する。なお、ステップＳ７を省略して放送ＩＤにデフォルト値がそのまま設定されていてもよい。
【００１６】
図６に、事故判定処理のフローチャートを示す。
図３によると１４時０３分３０秒にテレビ局等の放送施設５で重畳されたはずの透かし情報は、本来ならモニター施設２において１４時０３分３７秒ごろに検出されるはずだったデータが欠損している。また同様に１４時０５分３０秒から３回分の重畳されたはずのデータも欠損している。これらの場合は、図４においてステップＳ５からステップＳ６へ進む。
事故判定処理では、モニタリングデータプロセッサー２４１４は、もしテレビ局受像機２１から得られた当該放送の電界強度がしきい値（例、５０ｄＢ）以下に低下しているかどうか判定する（Ｓ５１）。低下しているならば、放送施設５の送信部５３などの不良が想定されるので、ステップＳ５１からステップＳ５２へ進み、品位データに５を代入する。このしきい値５０ｄＢはモニター施設２の受信設備の状況により最適な値が選ばれる。ステップＳ５１でもし充分な電界強度がある場合、モニタリングデータプロセッサー２４１４は、所定区間（例、３０秒区間）の平均オーディオパワー（平均音量）を求め、予め定められたしきい値と比較する（Ｓ５３）。平均音量も充分あるなら、透かしデコーダ２４０２は、透かし重畳装置５２の故障等が疑われるので、ステップＳ５３からステップＳ５４へ進み、品位データに４を代入する。なお、例えば、３０秒区間としたのは放送施設５で重畳される周期に一致させて評価したいからである。一方、もし充分な電界強度があるが、３０秒区間の平均オーディオパワー（平均音量）が極端に小さな値だったなら（Ｓ５３）、透かしデコーダ２４０２は、無音に近いコンテンツに起因する偶発的な透かし情報の検出漏れ等と考えられる（たとえば映画で静寂なシーンが続く場合や、囲碁将棋の対戦中継番組などがある）ので、ステップＳ５５へ進み、品位データに３を代入する。このしきい値２ｄＢは運用実績により最適な経験値が選ばれる。
【００１７】
モニタリングデータプロセッサー２４１４によるこれらの処理の例で、品位データには０から６の値が設定される。品位データ＝６は透かし重畳装置５２の故障または誤設定で、正しいメディア接触率の調査が行えない等のケースである。品位データ＝５、４は放送施設５の装置の事故が疑われるもので、調査協力世帯装置１のテレビ１１でも検出できない可能性が特に高い等のケースである。また品位データ＝３、２、１はモニター施設２では検出できなかったか、あまり状態が良くなかった等のケースである。これらの場合でも調査協力世帯装置１のテレビ１１でも検出漏れが発生する可能性が懸念される。また、品位データ＝０は、放送ＩＤの検出状態が良好であることを示す。
調査協力世帯装置１でも検出漏れが起こり得るかを推測し、その可能性があると判断された場合のみ、オーディオ信号に含まれる特徴量を計算施設３へ送信することでデータ通信量や通信コストを低減できるが、以下、そのデータ選別処理について説明する。
以下に、一例として、調査協力世帯装置１のテレビ１１に対応して、モニター施設２のテレビ局受像機２１にＡＤ変換機２４０１を介して接続された特徴量抽出器２４０７の処理について説明するが、ラジオ局受信機２２にＡＤ変換機２４０３を介して接続された特徴量抽出器２４０９の処理、及び、ＰＣ２３にＡＤ変換機２４０５を介して接続された特徴量抽出器２４１１の処理についても同様である。
特徴量抽出器２４０７は、テレビ局受像機２１からのオーディオ信号をＡＤ変換器２４０１でデジタル化したものを、所定区間（例、３０秒区間）単位で特徴量化する。モニタリングデータプロセッサー２４１４は特徴量の直前にヘッダー情報として、時計部２４１３による計測時刻と、テレビ局受像機２１で受信している放送ＩＤなどを付加しながら順次、メモリー２４０８へ記録する。
【００１８】
図７に、モニターデータのヘッダー情報の構成例の図を示す。
放送ＩＤはテレビ局受像機２１の設定により受信している放送施設５に割り当てられた識別番号で同じＩＤが検出され続ける。上述の品位データの生成処理の例では、品位データが０では、正常な放送ＩＤが設定され、品位データが１、２では、正常な放送ＩＤが設定されている可能性が高いと想定されるが、品位データが３〜５（事故判定処理）では０が放送ＩＤとして設定され、品位データが６では実際とは異なる放送ＩＤが設定される。
また品位データが３〜５（事故判定処理）では埋め込まれた、埋め込み時刻（又は放送時刻）が検出できなかったので、ここには、例えば、００００００００００００００が設定される。
【００１９】
図８に、データ選別処理のフローチャートを示す。
図９に、モニター施設のメモリー記録内容（品位データが０の場合）の説明図を示す。
図１０に、モニター施設のメモリー記録内容（品位データが１〜５の場合）の説明図を示す。
モニタリングデータプロセッサー２４１４は、品位データが０であれば（Ｓ１０１）、透かし情報の検出になんら問題がないのでステップＳ１０５で、メモリー２４０８の書き込みアドレスポインターを前回書き込みの開始アドレスに戻し、次の区間のヘッダー情報と特徴量を前回と同じ場所に上書きする（Ｓ１０２）。図示したものが図９である。一方、モニタリングデータプロセッサー２４１４は、品位データが１以上になったとき（Ｓ１０１）、書き込みアドレスポインターを前回書き込みの最終アドレスに１を加えた値を代入し、図１０のように、メモリー２４０８にヘッダー情報と特徴量を記録する（Ｓ１０２）。なおこのときヘッダー情報に含まれる放送ＩＤは０または誤って重畳された可能性のある放送ＩＤである。そして次回に備えて、ヘッダー情報と特徴量を書き込んだ開始アドレスと最終アドレスをを一時記憶（Ｓ１０４）し終了する。
モニタリングデータプロセッサー２４１４は、このようにして生成されたヘッダー情報と特徴量データを含むデータを通信Ｉ／Ｆ２４１５を介して計算施設３へ送信する。なお、モニタリングデータプロセッサー２４１４は、このようなデータを予め定められた適当な数又は時間分のデータでひとつのブロックとして記録または送信することができる。送信タイミングは、例えば、特徴量が所定数記録されたときや、１、２、３分等の所定周期毎、又は、常時接続によりリアルタイム又はそれに近い周期等である。なお図１では通信路をネットワーク６は、インターネット以外にもいずれの電気通信手段（有線系通信網６１又は無線系通信網６２等）でもよい。
【００２０】
３．調査協力世帯装置
調査協力世帯装置１に設置する据え置き型調査端末１５について説明する。
ここでは、一例として据え置き型調査端末１５について説明するが、据え置き型調査端末１６、１７についても同様の構成、動作である。また、図１では、携帯型調査端末１８は、据え置き型調査端末１７に接続されているが、ここでは、据え置き型調査端末１５に接続された場合について説明する。
図１１のように、設置場所を固定して使用される調査協力世帯装置１のテレビ１１、ラジオ１２、ＰＣ１３に、据え置き型調査端末１５〜１７をそれぞれ取り付ける。入力されたオーディオ信号又は映像・画像信号はＡ／Ｄ変換機１１０１でデジタル化され、透かしデコーダ１１０２とデータ圧縮器１１０３に供給される。データ圧縮器１１０３は、各種の音声圧縮技術により可逆的に入力されたオーディオ信号のデータ容量を圧縮又は最小化する。
モニター施設２は調査対象の放送施設５の電波がカバーするエリア内に通常は１つである。しかし調査協力世帯装置１は、一般にひとつの調査エリア内に数百世帯等の多くの世帯を設定し、その世帯が所有する複数のテレビ１１やラジオ１２、ＰＣ１３など、全ての受信機器に据え置き型調査端末１５〜１７を設置する。そのため、特徴量の抽出は、計算施設３で行うことで、据え置き型調査端末１５〜１７の製造コストを低減している。
【００２１】
個人表示器Ｉ／Ｆ１１０８は個人視聴率調査エリアで使用される、例えば、特開平０８−０４６５８８号で開示されたように、視聴・聴取している個人を識別するための個人表示器１１１を接続するためのインターフェースである。
また携帯型調査端末Ｉ／Ｆ１１０９は携帯型調査端末１８と接続し、充電電力を供給するとともに蓄積されているデータを回収するためのインターフェースである。時計部１１０５は通信Ｉ／Ｆ１１０７を介して計算施設３と定期的に校正される。さらに、携帯型調査端末１８に関連して、一時バッファー１１１０、第２透かしデコーダー１１１１を備える。
透かしデコーダ１１０２及び第２透かしデコーダー１１１１は、透かし情報を検出するとともに、透かし情報を検出する際の誤り訂正レベルを出力する。モニタリングデータプロセッサー１１０６は、透かしデコーダ１１０２からの誤り訂正のレベル−１〜２と、計算施設３からの音声送信要求の有無情報を使い、後述するように、図１２のデータ選別処理を行う。例えば、誤り訂正レベル０がもっとも検出状態が良好であり、レベル１はやや障害があり、レベル２は検出に度重なる誤り訂正を実行したとき、検出できなかった場合にはレベル−１である（後述の図１８参照）。
モニタリングデータプロセッサー１１０６は、通信Ｉ／Ｆ１１０７を介して、計算施設３から音声送信要求がある場合、計算施設３へヘッダー情報と圧縮された音声を含む調査データを後述のように記憶する。音声送信要求信号はモニター施設２の品位データを基に、透かし情報の重畳に何らかの問題があると計算施設３で判断された時、計算施設３から据え置き型調査端末１５にネットワーク６などを経由して送信されるものである。モニタリングデータプロセッサー１１０６は、計算施設３からの音声送信要求信号及び音声送信解除信号を受信し、それに応じて音声送信要求の有無情報を内部の記憶エリア等に設定する。
【００２２】
図１２に、据え置き型調査端末のデータ選別処理のフローチャートを示す。
また、図１８は、誤り訂正レベルと放送ＩＤ、圧縮音声データの関係を示す説明図である。
図１３に、据え置き型調査端末のメモリー記録内容（誤り訂正レベルが０の場合）の説明図を示す。
図１４に、据え置き型調査端末のメモリー記録内容（誤り訂正レベルが０以外の場合）の説明図を示す。
モニタリングデータプロセッサー１１０６は、フラグ等の設定により計算施設３からの音声送信要求の有無をチェックする（Ｓ２０１）。モニタリングデータプロセッサー１１０６は、音声送信要求が無しの場合は（Ｓ２０１）、ステップＳ２０５に進み、誤り訂正レベルが０なら（Ｓ２０５）、メモリー１１０４の書き込み開始アドレスを指し示すアドレスポインターを、前回の圧縮音声データの書き込み開始位置に戻して（Ｓ２０６）、メモリー１１０４に上書きする（Ｓ２０３）。そのため、図１３で示すようにヘッダー情報だけが残っていく。
一方、ステップＳ２０１で計算施設３からの音声送信要求が有りの場合や、音声送信要求信号がなくてもステップＳ２０５で誤り訂正レベルが０以外なら、モニタリングデータプロセッサー１１０６は、書き込みアドレスポインターに前回の最終アドレスに１を加えた値を代入し、図１４のようにヘッダー情報とともに圧縮音声データをメモリー１１０４に記録する（Ｓ２０３）。
このように、モニタリングデータプロセッサー１１０６は、所定周期（例、３０秒単位）で、圧縮された音声データのブロックの先頭にヘッダー情報として検出時刻（視聴時刻・聴取時刻・接触時刻等）と放送ＩＤなどを付加しながら順次、メモリー１１０４へ記録（Ｓ２０３）している。そして次回に備えて、圧縮音声データを書き込んだ開始アドレスと最終アドレスを記憶する（Ｓ２０４）。
【００２３】
図１５に、据え置き型調査端末１５の調査データのヘッダー情報の構成例の図を示す。
この例は個人ＩＤ１番の人が２００８年１２月３１日１４時００分０８秒に、２００８年１２月３１日１４時００分００秒という時刻と、０１２３０という放送ＩＤが埋め込まれたとオーディオ信号と接触したこと、据え置き型調査端末１５の端末ＩＤが００１１であること、を意味している。
放送ＩＤは据え置き型調査端末１５が設置されたテレビ１１、ラジオ１２、ＰＣ１３のオーディオ信号から検出された放送ＩＤで、視聴状況により変化する。また個人ＩＤは個人表示器１１１で申告された個人または複数の視聴者を示す。なお受信地は携帯型調査端末１８から回収したデータにのみ存在する（後述参照）。
【００２４】
このようにして、モニタリングデータプロセッサー１１０６は、生成されたヘッダー情報と圧縮音声データを、所定のタイミング又は計算施設３からの要求に従いメモリー１１０４から読み出し、通信Ｉ／Ｆ１１０７を介して計算施設３へ送信する。送信タイミングは、例えば、１時間〜数時間毎、１日毎、半日毎等ある程度データが蓄積されたときなど適宜の周期とすることができる。なお、モニタリングデータプロセッサー１１０６は、このようなデータを予め定められた適当な数又は時間分のデータでひとつのブロックとして記録または送信することができる。さらに、図１３の記録内容を送信するとき、圧縮音声データを削除してもよい。また、図１ではネットワーク６として、インターネット以外にもいずれの電気通信手段（有線系通信網６１又は無線系通信網６２等）でもよい。
【００２５】
つぎに携帯型調査端末１８について説明する。
図１６に、携帯型調査端末の構成図を示す。
この携帯型調査端末１８は、テレビ、ラジオやインターネット等のコンテンツが視聴可能な携帯電話やＰＣ、小型ゲーム機、電子辞書などの携帯型電子機器１４を用いた調査に使用される。携帯型調査端末１８は、個人ＩＤを保持する個人ＩＤ  ＲＯＭ１８１０に調査協力世帯装置１の家族のそれぞれに割り振られた個人ＩＤを記録したのち各人に配布される。時計及び位置情報部１８０７は内蔵ＧＰＳ１８０６から常時位置情報を取得している。またその際に、時計及び位置情報部１８０７は、時刻データを校正する。バッテリー１８０９は携帯型調査端末１８の各部に電力を供給するものであり、例えば、据え置き型調査端末１５と接続されたときに充電される。携帯型電子機器１４に対し分岐型のヘッドフォンコードを用いて、一方は携帯型調査端末１８に、他方はヘッドフォン１８１に接続する。ヘッドフォン端子が装備されていない機種に対してはマイク１８０５で空間的にオーディオ信号をピックアップすることができる。このようにして得られたオーディオ信号は、Ａ／Ｄ変換１８０１でデジタル信号化され、データ圧縮器１８０２で各種の適宜の音声圧縮技術により可逆的にデータ容量を圧縮又は最小化する。
モニタリングデータプロセッサー１８０４は、所定周期（例、３０秒単位）でデータ圧縮器１８０２によりデータ容量が圧縮された塊の先頭にヘッダー情報として検出時刻と位置情報を付加しながら順次、メモリー１８０３へ記録する。
【００２６】
図１７に、携帯型調査端末の調査データのヘッダー情報の構成例の図を示す。
この例は個人ＩＤ１番の人が２００８年１２月３０日１７時１０分００秒に、北緯３５度４３分２１秒、東経１３６度１２分３４秒において、接触したオーディオ信号であること、携帯型調査端末１８の端末ＩＤが００１４であること、を意味する。
このヘッダー情報は、図１５の据え置き型調査端末１５のヘッダー情報の埋め込み時刻と放送ＩＤの部分を所定値（例、ゼロ）で埋め、また、携帯型調査端末１８の端末ＩＤと、個人ＩＤ  ＲＯＭ１８１０に記録された個人ＩＤと、受信地に内蔵ＧＰＳ１８０６によるデータが含まれ、図１５と図１７は同一構造（同一フォーマット）である。さらにまたメモリー１８０３に記録されたデータは、各ヘッダー情報に対して圧縮された音声データが記憶されるので、図１４と同じ構造となる。
こうして、携帯型調査端末１８を携帯型調査端末Ｉ／Ｆ１１０９に接続することにより、モニタリングデータプロセッサー１８０４は、携帯型調査端末１８に蓄積されたデータを、据え置き型調査端末Ｉ／Ｆ１８０８を経由して、ヘッダーと圧縮音声データを据え置き型調査端末１５に転送し、携帯型調査端末Ｉ／Ｆ１１０９により、一時バッファー１１１０に格納する。
さらにモニタリングデータプロセッサー１８０４は一時バッファー１１１０のデータを第２透かしデコーダー１１１１を使い書き換え転送処理を実行しメモリー１１０４に転送する。
【００２７】
図２５に、書き換え処理のフローチャートを示す。
モニタリングデータプロセッサー１８０４は据え置き型調査端末Ｉ／Ｆ１８０８、携帯型調査端末Ｉ／Ｆ１１０９を経由して、一時バッファー１１１０に置かれたヘッダーと圧縮音声データの対からなるブロックの圧縮音声データ部分から第２透かしデコーダーで透かしデータの検出を試みる（Ｓ２５０１）。ステップＳ２５０１でもし放送ＩＤとその埋め込み時刻が検出されれば、付帯するヘッダー情報の該当部分を透かしから得られた値に書き換える（Ｓ２５０５）。そしてメモリー１１０４の書き込み開始アドレスを指し示すアドレスポインターを、前回の圧縮音声データ書き込み開始位置に戻して（Ｓ２５０６）、メモリー１１０４に上書きする（Ｓ２５０３）。そのため、図１３で示すようにヘッダー情報だけが残っていく。
一方、ステップＳ２５０１で透かしデータが検出されなければ、モニタリングデータプロセッサー１８０４は据え置き型調査端末Ｉ／Ｆ１８０８、携帯型調査端末Ｉ／Ｆ１１０９を経由して、書き込みアドレスポインターに前回の最終アドレスに１を加えた値を代入し（Ｓ２５０２）、図１４のようにヘッダー情報とともに圧縮音声データをメモリー１１０４へ記憶する（Ｓ２５０３）。
そして次回に備えて、圧縮音声データを書き込んだ開始アドレスと最終アドレスを記憶する（Ｓ２５０４）。
携帯型電子機器１４で視聴されたメモリー１８０３のデータ、テレビ１１等により視聴されたメモリー１１０４のデータもフォーマットは同じであるので、モニタリングデータプロセッサー１１０６は、同様の処理で生成されたヘッダー情報と圧縮音声データを、所定のタイミング又は計算施設３からの要求に従いメモリー１１０４から読み出し、通信Ｉ／Ｆ１１０７を介して計算施設３へ送信することができる。
【００２８】
４．計算施設
図１９に、計算施設の構成図を示す。
計算施設３は、例えば、プロセッサ３１と、通信Ｉ／Ｆ３２及び３３と、記憶部３４と、配信サーバ３５を備える。プロセッサ３１は、判定部３１１と、視聴データ作成部３１２と、特徴量抽出部３１３と、集計部３１４を備える。記憶部３４は、調査データ蓄積部３４１と、特徴量蓄積部３４２と、視聴データ記憶部３４３と、視聴率記憶部３４４を備える。プロセッサ３１は、通信Ｉ／Ｆ３２を介して調査協力世帯装置１と通信し、通信Ｉ／Ｆ３３を介してモニター施設２と通信する。また、プロセッサ３１は、配信サーバ３５を介してレポート契約会社４と通信する。
計算施設３について説明する。図１で示されたようにプロセッサ３１はモニター施設２と調査協力世帯装置１から送られてくるデータを監視する。通常（正常な場合）は判定部３１１は、モニター施設２から受けたモニターデータの品位データは０なので、据え置き型調査端末１５〜１７に音声送信要求信号を送信しない。また調査協力世帯装置１でも通常（携帯型調査端末１８によるデータ以外）は、図１３のようにヘッダー情報が積み上がった調査データが作られる。視聴データ作成部３１２は、調査協力世帯装置１からの調査データのヘッダー情報に含まれる放送ＩＤ、計測時刻、埋め込み時刻、個人ＩＤ、必要に応じて受信地等を用いて視聴データを作成し、視聴データ記憶部３４３に記憶する。
【００２９】
プロセッサ３１は、モニター施設２からの放送局やコンテンツ配信サイト等の放送施設５の品位データが複数ある場合、いずれかひとつでも０以外になれば、図１０のデータを特徴量蓄積部３４２に順次保存するとともに、プロセッサ３１は、調査協力世帯装置１の据え置き型調査端末１５〜１７に音声送信要求信号を送信する。
音声送信要求信号を受けた調査協力世帯装置１からは図１４のようにヘッダー情報と圧縮音声データが積み上がったデータが来るので、特徴量抽出部３１３で圧縮音声データから特徴量を算出し、視聴データ作成部３１２が特徴量蓄積部３４２を検索しどの放送施設５の音声であるかを特定し、放送ＩＤを求め、その放送ＩＤと、調査協力世帯装置１からの調査データのヘッダー情報に含まれる計測時刻、埋め込み時刻、個人ＩＤ、必要に応じて受信地等を用いて視聴データを作成し、視聴データ記憶部３４３に記憶する。また判定部３１１が音声送信要求をしないときでも、調査協力世帯装置１での透かし情報の検出が一時的に劣化した場合は、据え置き型調査端末１５〜１７がみずから圧縮音声データを作る。
集計部３１４は、視聴データ記憶部３４３に記憶された視聴データを読み出し、放送ＩＤごとに集計して、各放送施設の放送ＩＤに対応して、時刻ごとの視聴率又は聴取率又は接触率データをもとめ、視聴率記憶部３４４に記憶する。
【００３０】
図２０に、視聴データのフォーマットの説明図を示す。
視聴データ（コンテンツの視聴データの他、聴取データや接触データを含む）は、計測時刻、埋め込み時刻（又は放送時刻）、放送ＩＤ、個人ＩＤ、受信地、調査端末の端末ＩＤを対応して記憶する。
以下に、動作の詳細について説明する。
計算施設３では、プロセッサ３１は、モニター施設２からヘッダー情報と特徴量を含むモニターデータを所定周期又は適宜のタイミングで受信し、記憶部３４の特徴量蓄積部３４２に記憶している。また、プロセッサ３１は、調査協力世帯装置１からヘッダー情報と圧縮音声を含む調査データを所定周期又は適宜のタイミングで受信し、記憶部３４の調査データ蓄積部３４１に記憶している。
【００３１】
図２１に、音声送信要求処理のフローチャートを示す。
判定部３１１は、モニター施設２からのモニターデータを特徴量蓄積部３４２から読み出し（Ｓ３０１）、読み出したデータに含まれるヘッダー情報を参照して品位データが０か否かを判断する（Ｓ３０３）。判定部３１１は、品位データが０の場合（すなわち、放送ＩＤの検出状態が良好な場合）、ステップＳ３０１に戻り以降の処理を繰り返す。一方、品位データが０以外の場合、判定部３１１は、音声送信要求信号を調査協力世帯装置１に送信する（Ｓ３０５）。判定部３１１は、次のデータを特徴量蓄積部３４２から読み出し（Ｓ３０７）、品位データが０か否かを判断する（Ｓ３０９）。品位データが０以外の場合、判定部３１１は、良好状態に戻ったと判断し、ステップＳ３０７に戻り以降の処理を繰り返す。一方、品位データが０の場合、判定部３１１は、音声送信解除信号を調査協力世帯装置１に送信し、ステップＳ３０１に戻り以降の処理を繰り返す。
【００３２】
図２２に、視聴データの作成・記録処理のフローチャートを示す。
視聴データ作成部３１２は、調査協力世帯装置１の調査データを調査データ蓄積部３４１からを読み出す（Ｓ４０１）。視聴データ作成部３１２は、調査データが図１３の記録内容か図１４の記録内容かを識別する。例えば、読み出した調査データに圧縮音声データが２ブロック以上あるか否かを判断する（Ｓ４０５）。
圧縮音声データがひとつ含まれる（図１３の記録内容である）場合、視聴データ作成部３１２は、調査データのヘッダー情報に含まれる計測時刻、埋め込み時刻（又は放送時刻）、放送ＩＤ、個人ＩＤ、調査端末の端末ＩＤを用いて視聴データを作成し、視聴データ記憶部３４３に記憶する（Ｓ４０７）。ステップＳ４０５で圧縮音声データが２ブロック以上含まれる（図１４の記録内容である）場合、視聴データ作成部３１２は、特徴量抽出部３１３を用いて圧縮音声データから音声の特徴量を算出する（Ｓ４０９）。視聴データ作成部３１２は、計測時刻又は埋め込み時刻（又は放送時刻）が一致する全ての比較対象となるモニターデータの特徴量を特徴量蓄積部３４２から読み出し、読み出した特徴量と特徴量抽出部３１３が算出した特徴量とを比較して放送ＩＤを求める（Ｓ４１１）。
もしステップＳ４１０でモニターデータの特徴量のどれとも一致しない場合は、ステップＳ４１１へ進み、計測時刻又は埋め込み時刻（又は放送時刻）を起点として、そこから時刻を１ブロック過去へさかのぼり、ステップ４１２で予め定められた規定時間まで到達してないなら、モニターデータの特徴量を特徴蓄積部３４２から読み出し比較を繰り返す。これにより調査協力世帯において録画されたコンテンツを再生した場合でも放送ＩＤが検出可能となる。ステップＳ４１２で検査される、さかのぼる最大時間は、レポート契約会社４との契約により決定し設定される。なお計測時刻又は埋め込み時刻（又は放送時刻）を起点として過去へさかのぼるのは、調査協力世帯よりの音声特徴量は、それが視聴された視聴時刻よりも後のものではないのは明らかだからである。
視聴データ作成部３１２は、求めた放送ＩＤと、調査データのヘッダー情報に含まれる計測時刻、埋め込み時刻（又は放送時刻）、個人ＩＤ、調査端末の端末ＩＤとを用いて視聴データを作成し、視聴データ記憶部３４３に記憶する（Ｓ４１３）。
ステップＳ４０７又はステップＳ４１３の実行後、視聴データ作成部３１２は、ステップＳ４０１で読み出したデータが受信したデータの最後か否かを判断する（Ｓ４１５）。視聴データ作成部３１２は、最後でない場合ステップＳ４０１に戻り以降の処理を繰り返し、最後の場合処理を終了する。
なお、視聴データ作成部３１２は、例えば、特徴量抽出部３１３からモニターデータのヘッダー情報を取得して、適宜その内のいずれかひとつ又は複数の情報を用いて視聴データを作成してもよい。  また、ステップＳ４０５の判断のためには調査協力世帯装置１から計算施設３に調査データを送る頻度は例えば、少なくとも１分間（２ブロック）等の所定時刻以上あけて送信するとよい。
【００３３】
Ｂ．第２の実施の形態
第２の実施の形態としては、据え置き型調査端末１５のデータ圧縮器１１０３を特徴量抽出器に置き換えてもよく、その場合は計算施設３の調査データ蓄積部３４１には、特徴量蓄積部３４２と同様に特徴量が保存される。この場合、図１３と図１４のメモリー記録内容については、「圧縮された音声」のかわりに「特徴量」が記憶される。その他の調査システム、及び、調査世帯装置１、モニター装置２、計算施設３等についての構成は、第１の実施の形態と同様である。
【００３４】
図２３に、据え置き型調査端末のデータ選別処理のフローチャート（第２の実施の形態）を示す。
図１２で示したデータ選別処理のフローチャートにおいても、「圧縮された音声」のかわりに「特徴量」が用いられ、ステップＳ２０３、Ｓ２０４、及びＳ２０６が、図２３のステップＳ２２０３、Ｓ２２０４、Ｓ２２０６のように変形され、他は同様の処理が実行される。
モニタリングデータプロセッサー１１０６は、フラグ等の設定により計算施設３からの音声送信要求の有無をチェックする（Ｓ２０１）。モニタリングデータプロセッサー１１０６は、音声送信要求が無しの場合は（Ｓ２０１）、ステップＳ２０５に進み、誤り訂正レベルが０なら（Ｓ２０５）、メモリー１１０４の書き込み開始アドレスを指し示すアドレスポインターを、前回の特徴量の書き込み開始位置に戻して（Ｓ２２０６）、メモリー１１０４に上書きする（Ｓ２２０３）。そのため、図１３で示すようにヘッダー情報だけが残っていく。
一方、ステップＳ２０１で計算施設３からの音声送信要求が有りの場合や、音声送信要求信号がなくてもステップＳ２０５で誤り訂正レベルが０以外なら、モニタリングデータプロセッサー１１０６は、書き込みアドレスポインターに前回の最終アドレスに１を加えた値を代入し、図１４のようにヘッダー情報とともに特徴量をメモリー１１０４に記録する（Ｓ２２０３）。
このように、モニタリングデータプロセッサー１１０６は、所定周期（例、３０秒単位）で、特徴量のブロックの先頭にヘッダー情報として検出時刻（視聴時刻・聴取時刻・接触時刻等）と放送ＩＤなどを付加しながら順次、メモリー１１０４へ記録（Ｓ２０３）している。そして次回に備えて、特徴量を書き込んだ開始アドレスと最終アドレスを記憶する（Ｓ２２０４）。
【００３５】
図２６に、第２の実施形態の据え置き型調査端末の構成図を示す。第２の実施形態の据え置き型調査端末と第１の実施の形態のそれとの差は、データ圧縮器１１０３のかわりに特徴量抽出器１１１０３が設けられ、さらに携帯型調査端末１８からデータを受けるために第２特徴量抽出部１１１２が備えられている点であり、その他は同様の構成である。
モニタリングデータプロセッサー１８０４は一時バッファー１１１０のデータを、第２透かしデコーダー１１１１と、第２特徴量抽出器１１１２を使い書き換え転送処理を実行しメモリー１１０４に転送する。
【００３６】
図２７に書き換え処理のフローチャートを示す。
モニタリングデータプロセッサー１８０４は据え置き型調査端末Ｉ／Ｆ１８０８、携帯型調査端末Ｉ／Ｆ１１０９を経由して、一時バッファー１１１０に置かれたヘッダーと圧縮音声データの対からなるブロックの圧縮音声データから第２特徴量抽出部で特徴量求め、特徴量に置き換える（Ｓ２７０１）。そして第２透かしデコーダーで透かしデータの検出を試みる（Ｓ２７０２）。もし放送ＩＤとその埋め込み時刻が検出されれば、付帯するヘッダー情報の該当部分を透かしから得られた値に書き換える（Ｓ２７０６）。そしてメモリー１１０４の書き込み開始アドレスを指し示すアドレスポインターを、前回の特徴量の書き込み開始位置に戻して（Ｓ２７０７）、メモリー１１０４に上書きする（Ｓ２７０４）。そのため、図１３で示すようにヘッダー情報だけが残っていく。
一方、ステップＳ２７０１で透かしデータが検出されなければ、モニタリングデータプロセッサー１８０４は書き込みアドレスポインターに前回の最終アドレスに１を加えた値を代入し（Ｓ２７０３）、図１４のようにヘッダー情報とともに特徴量をメモリー１１０４へ記憶する（Ｓ２７０４）。そして次回に備えて、特徴量を書き込んだ開始アドレスと最終アドレスを記憶する（Ｓ２７０４）。
また、図２４に、視聴データの作成・記録処理のフローチャート（第２の実施の形態）を示す。この場合も、図１２で示したデータ選別処理のフローチャートにおいて、「圧縮された音声」のかわりに「特徴量」が用いられ、ステップＳ４０５が、図２４のステップＳ２４０５のように変形され、ステップＳ４０９は省略され、他は同様の処理が実行される。
すなわち、視聴データ作成部３１２は、調査データが図１３の記録内容か図１４の記録内容かを識別する。例えば、読み出した調査データに特徴量が２ブロック以上あるか否かを判断する（Ｓ２４０５）。特徴量がひとつ含まれる（図１３の記録内容である）場合、ステップＳ４０７に移行し、一方、特徴量が２ブロック以上含まれる（図１４の記録内容である）場合、ステップＳ４１０に移行する。
その他の、品位データを生成する処理のフローチャート（図４）、事故判定処理のフローチャート（図６）、データ選別処理のフローチャート（図８）、音声送信要求処理のフローチャート（図２１）等についての処理、及び、データフォーマットや記録内容等については、第１の実施の形態と同様である。
【００３７】
Ｃ．特徴量の計算例
以下に、特徴量を計算するための処理の一例（特開平１１−２７５０３２号公報参照）を説明するが、これに限らず適宜の処理方法を用いることができる。
まず、１０秒区間の振幅データをさらに１００のフレームという時間枠に分割し、その各々の平均振幅Ｖｊ（ｉ）に置き換える。１フレームはすなわち１００ミリ秒区間である。第ｉ番フレーム区間に採取された振幅データの総数をＮ、この総数Ｎの中で、第ｊ番帯域フィルタ出力の第ｋ番データの振幅をＳｊ（ｋ）とすると、第ｉ番フレーム区間の平均振幅Ｖｊ（ｉ）は次式（１）で求まる。
【数１】
2010233164.tif 000003
【００３８】
次に、第ｉ番フレーム区間における、第ｊ番帯域フィルタ出力の平均振幅Ｖｊ（ｉ）を、次式（２）により対数変換し、パワーＰｊ（ｉ）を求める。
【数２】
2010233164.tif 000004
このパワーＰｊ（ｉ）は４つの帯域の各々について求められ、この４つの帯域に分割算出されたパワーのベクトルをパワーベクトルＰ（ｉ）とし、次式（３）のように表し、これを第ｉ番フレーム区間の特徴量とする。
【数３】
2010233164.tif 000005
以上のようなフレーム区間の特徴量は１００のフレームの各々について求められ、この１００フレームの特徴量のベクトルをブロックデータＣＢ（ｉ）として次式（４）のように定義し、これを今回測定したオーディオ信号にかかる特徴量とする。
【数４】
2010233164.tif 000006
【００３９】
特徴量抽出部３１３は以上のようにして、各測定時期毎に、受信している未知の放送局Ｒに関する次式（５）に示すブロックデータＣＢＲ（ｉ，ｂ）を生成する。
【数５】
2010233164.tif 000007
【産業上の利用可能性】
【００４０】
本発明は、テレビ、パソコン、ラジオ、携帯機器等の視聴率・聴取率・メディア接触率等の様々な調査に適用することができる。本発明は、視聴データ、聴取データ、接触データ等の各種メディアやコンテンツ等を視聴したデータや、それによる視聴率、聴取率、接触率等の処理に適用することができる。また、端末ＩＤとしては、調査端末の識別情報以外にもテレビ、ラジオ、ＰＣ、携帯型調査端末等の識別情報を用いたり、また、付加してもよい。
【符号の説明】
【００４１】
１  調査協力世帯装置
２  モニター施設
３  計算施設
４  レポート契約会社
５  放送施設
６  ネットワーク
１１  テレビ
１２  ラジオ
１３、２３  ＰＣ
１４  携帯型電子機器
１５〜１７  据え置き型調査端末
１８  携帯型調査端末
１９  ＬＡＮ
２１  テレビ局受像機
２２  ラジオ局受信機
２４  メディアモニターリング装置
３１  プロセッサ
３２、３３  通信Ｉ／Ｆ
３４  記憶部
３５  配信サーバ
５１  コンテンツ
５２  透かし重畳装置
５３  送信部
５４  時計装置
３１１  判定部
３１２  視聴データ作成部
３１３  特徴量抽出部
３１４  集計部
３４１  調査データ蓄積部
３４２  特徴量蓄積部
３４３  視聴データ記憶部
３４４  視聴率記憶部
【図１】
2010233164.tif 000008
【図２】
2010233164.tif 000009
【図３】
2010233164.tif 000010
【図４】
2010233164.tif 000011
【図５】
2010233164.tif 000012
【図６】
2010233164.tif 000013
【図７】
2010233164.tif 000014
【図８】
2010233164.tif 000015
【図９】
2010233164.tif 000016
【図１０】
2010233164.tif 000017
【図１１】
2010233164.tif 000018
【図１２】
2010233164.tif 000019
【図１３】
2010233164.tif 000020
【図１４】
2010233164.tif 000021
【図１５】
2010233164.tif 000022
【図１６】
2010233164.tif 000023
【図１７】
2010233164.tif 000024
【図１８】
2010233164.tif 000025
【図１９】
2010233164.tif 000026
【図２０】
2010233164.tif 000027
【図２１】
2010233164.tif 000028
【図２２】
2010233164.tif 000029
【図２３】
2010233164.tif 000030
【図２４】
2010233164.tif 000031
【図２５】
2010233164.tif 000032
【図２６】
2010233164.tif 000033
【図２７】
2010233164.tif 000034